(57)【要約】【課題】確実に感電を防止することが可能なコンセントおよびカバー付コンセントを提供する。【解決手段】電気絶縁材で形成された本体１１と；本体内に収容されプラグＰの栓刃が接続される刃受け金具１２と；本体に設けられ電線Ｗが接続される電線接続部１３と；本体内に収容され、導電体２１ｂの抜き差しにより刃受け金具と電線接続部の接続が開閉される導電体受け金具１４と；を具備するコンセント１０を構成する。【選択図】        図１
2011070912.tif 000002
【特許請求の範囲】
【請求項１】
電気絶縁材で形成された本体と；
本体内に収容されプラグの栓刃が接続される刃受け金具と；
本体に設けられ電線が接続される電線接続部と；
本体内に収容され、導電体の抜き差しにより刃受け金具と電線接続部の接続が開閉される導電体受け金具と；
を具備していることを特徴とするコンセント。
【請求項２】
電気絶縁材で形成された本体と；
本体に対して開閉可能に設けられ、導電体を突出して形成したカバー部材と；
本体内に収容されプラグの栓刃が接続される刃受け金具と；
本体に設けられ電線が接続される電線接続部と；
本体内に収容され、カバー部材の開閉による導電体の抜き差しにより刃受け金具と電線接続部の接続が開閉される導電体受け金具と；
を具備していることを特徴とするカバー付コンセント。
【請求項３】
前記導電体受け金具は、一方が刃受け金具と一体に形成され、他方が電線接続部と一体に形成されていることを特徴とする請求項１または２記載のコンセントおよびカバー付コンセント。
【発明の詳細な説明】
【技術分野】
【０００１】
本発明は、感電等を防止するようにしたコンセントおよびカバー付きコンセントに関する。
【背景技術】
【０００２】
この種、感電等を防止するようにしたコンセントは、プラグを囲繞する感電防止用リブを設けたもの（例えば、特許文献１）、さらに、扉付きコンセント（例えば、特許文献２）が提案されている。
【先行技術文献】
【特許文献】
【０００３】
【特許文献１】特開２００６−３１００４１号公報
【特許文献２】特開２００７−１７３１２５号公報
【発明の概要】
【発明が解決しようとする課題】
【０００４】
一方、近年では、電気自動車用の充電スタンドが設置されるようになってきている。また、一般家庭においても電動式の自転車が普及し、商用電源から電動式の自転車に充電できるようになっている。これら充電スタンドや一般家庭での充電にはプラグが接続可能なコンセントが屋外に設けられることから、塵埃や雨水等からコンセントを保護する必要があり、コンセントにカバーを設けたカバー付コンセントが使用され、また、屋外のため盗電等の対策からキー付のカバー付コンセントも使用されている。また、この種のコンセントは降雨時などに使用者が濡れた手でプラグやコンセントを扱う事態も生じることから、その安全性、特に感電防止を如何に行うかが重要な課題となっている。
【０００５】
このため、特許文献１や２に示される感電防止手段を、この種のコンセントに適用することが考えられるが、いずれの構成においても水の浸入を確実に防ぐことは困難で、万一侵入した場合には、コンセントの刃受け金具には電源が印加された状態となっており確実に感電を防止することはできない。
【０００６】
本発明は、上記の課題に鑑みなされたもので、確実に感電を防止することが可能なコンセントおよびカバー付コンセントを提供しようとするものである。
【課題を解決するための手段】
【０００７】
請求項１に記載のコンセントの発明は、電気絶縁材で形成された本体と；本体内に収容されプラグの栓刃が接続される刃受け金具と；本体に設けられ電線が接続される電線接続部と；本体内に収容され、導電体の抜き差しにより刃受け金具と電線接続部の接続が開閉される導電体受け金具と；を具備していることを特徴とする。本発明によれば、導電体が抜かれると刃受け金具と電線接続部の接続が開放され、プラグの刃受け金具には電源が印加されないため、確実に感電を防止することが可能となる。
【０００８】
本発明において、コンセントは、屋外に設置されるカバー付コンセントに適用されることが好ましいが、屋内に設置されるコンセントでもよく、さらに、カバー付でない通常のコンセントであってもよい。また、露出形でも埋込形でも、さらに、１口用でも２口用、３口用でもよく、その口数に限定されない。さらに、アース付のコンセント等であってもよく、特定のコンセントには限定されない。
【０００９】
また、本発明における電線接続部は、本体内に収容される、いわゆる、ねじ無し端子で構成されることが好適であるが、本体側面等に設けられるねじ付端子であってもよい。
【００１０】
また、導電体受け金具は、例えば、カバー付コンセントにおいて、カバー部材の開閉による導電体の抜き差しにより刃受け金具と電線接続部の接続が開閉されることが好ましいが、抜き差し専用の導電体によって接続が開閉されるものでもよく、要は導電体の抜き差しにより刃受け金具と電線接続部の接続が開閉される全ての手段が許容される。
【００１１】
請求項２に記載のカバー付コンセントの発明は、電気絶縁材で形成された本体と；本体に対して開閉可能に設けられ、導電体を突出して形成したカバー部材と；本体内に収容されプラグの栓刃が接続される刃受け金具と；本体に設けられ電線が接続される電線接続部と；本体内に収容され、カバー部材の開閉による導電体の抜き差しにより刃受け金具と電線接続部の接続が開閉される導電体受け金具と；を具備していることを特徴とする。本発明によれば、カバー部材が開放されると導電体が抜かれた状態となり、刃受け金具と電線接続部の接続が開放され、プラグの刃受け金具には電源が印加されないため、確実に感電を防止することが可能となる。
【００１２】
本発明において、本体に対して開閉可能に設けられるカバー部材は、軸を中心にカバー部材を回動させることにより、本体に対して開閉がなされることが好ましいが、カバー部材を本体に対してスライドさせることによって開閉がなされるようにしてもよく、さらには、カバー部材を本体に対して着脱することによって開閉がなされるようにしてもよく、特定の開閉手段には限定されない。
【００１３】
また、カバー部材は、露出部分全体を略覆うようにカバーすることが、安全性および外観意匠的にも好ましいが、少なくとも充電部となる刃受け金具部分および導電体受け金具部分を覆っていればよい。
【００１４】
請求項３に記載の発明は、請求項１または２記載のコンセントおよびカバー付コンセントにおいて、前記導電体受け金具は、一方が刃受け金具と一体に形成され、他方が電線接続部と一体に形成されていることを特徴とする。本発明によれば、簡易な構成により確実に感電を防止することが可能となる。
【００１５】
本発明において、一体化するための手段は、金属基板を成形加工して一体に形成することが好ましいが、一部において、別体に形成した部品を溶接等で一体化したものであってもよい。
【発明の効果】
【００１６】
請求項１記載の発明によれば、導電体の抜き差しにより刃受け金具と電線接続部の接続が開閉される導電体受け金具により、導電体が抜かれた状態で刃受け金具と電線接続部の接続が開放され、プラグの刃受け金具には電源が印加されていないため、確実に感電を防止することが可能なコンセントを提供することができる。
【００１７】
請求項２記載の発明によれば、カバー部材の開閉による導電体の抜き差しにより刃受け金具と電線接続部の接続が開閉される導電体受け金具により、カバー部材が開放されると導電体が抜かれた状態となり、刃受け金具と電線接続部の接続が開放され、プラグの刃受け金具には電源が印加されていないため、確実に感電を防止することが可能なカバー付コンセントを提供することができる。
【００１８】
請求項３記載の発明によれば、導電体受け金具は、一方が刃受け金具と一体に形成され、他方が電線接続部と一体に形成されているので、簡易な構成により確実に感電を防止することが可能なコンセントおよびカバー付コンセントを提供することができる。
【図面の簡単な説明】
【００１９】
【図１】本発明の第１実施形態であるコンセントおよびカバー付コンセントを壁面に設置した状態を示す縦断面図。
【図２】同じくカバー部を開いた状態を示す縦断面図。
【図３】同じくコンセントを示し、（ａ）は蓋体の正面図、（ｂ）はケース体の正面図。
【図４】同じくコンセントを示し、（ａ）は端子板の斜視図、（ｂ）は図３（ｂ）のｂ−ｂ線に沿う断面図。
【図５】同じくコンセントおよびカバー付コンセントの設置状態を分解して示す斜視図。
【図６】同じく変形例におけるコンセントおよびカバー付コンセントを壁面に設置した状態を示す縦断面図。
【発明を実施するための形態】
【００２０】
以下、本発明のコンセントおよびカバー付コンセントの実施形態について説明する。
【実施例１】
【００２１】
本実施例は、一般家庭に用いられる１００Ｖ１５Ａ用の１口コンセント１０を構成するもので、本体１１、プラグの栓刃が接続される一対の刃受け金具１２、電線が接続される一対の電線接続部１３、導電体の抜き差しにより刃受け金具１２と電線接続部１３の接続が開閉される一対の導電体受け金具１４で構成する。
【００２２】
本体１１は、図３に示すように、電気絶縁性を有する合成樹脂で一体に形成されたケース体１１ａと、ケース体の開口部を閉塞するための蓋体１１ｂで構成する。ケース体１１ａは、内部に、後述する一対の刃受け金具１２、一対の電線接続部１３および一対の導電体受け金具１４を収容するための刃受け金具収容部１１ａ１、電線接続収容部１１ａ２および導電体受け金具収容部１１ａ３を一体に形成する。
【００２３】
蓋体１１ｂは、本体と同様に電気絶縁性を有する合成樹脂で一体に形成され、ケース体１１ａに収容される刃受け金具１２に対向してプラグの栓刃を挿入するための一対の挿入孔１１ｂ１を形成し、さらに、導電体受け金具１４に対向して栓刃からなる導電体２１ｂを挿入するための一対の挿入孔１１ｂ２を形成する。一対の挿入孔１１ｂ２は、一対の挿入孔１１ｂ１の配設方向と略直交する方向に配設される。これら本体１１および蓋体１１ｂは、ネジ若しくは着脱が可能な係合爪片等の手段で、ケース体１１ａの開口部を蓋体１１ｂで閉塞するようにして固定される。
【００２４】
プラグの栓刃が接続される刃受け金具１２は、図４（ａ）に示すように、導電性を有する金属、例えば、スズ（Ｓｎ）入りの銅板で構成され、プレス加工等により、「ハ」の字状をなす刃受け部１２ａと、刃受け部の底部から延長して一体に導電体受け金具１４の一方の刃受け部１４ａを一体に形成する。上記に構成された刃受け金具１２は、同様構成のものが一対用意される。
【００２５】
電線Ｗが接続される電線接続部１３は、本実施例では、いわゆる、ねじ無し端子として構成されるもので、刃受け金具１２と同様にスズ（Ｓｎ）入りの銅板をプレス加工等することにより、「コ」の字状をなす電線支持部１３ａと、電線支持部の側面から一体に導電体受け金具１４の他方の刃受け部１４ｂを一体に形成する。上記に構成された電線接続部１３は、同様構成のものが一対用意される。図４（ｂ）中１３ｂは、電線Ｗを電線支持部１３ａに対し押圧して係止するための板バネである。
【００２６】
上記に構成された刃受け金具１２および電線接続部１３は、図３（ｂ）に示すように、それぞれ一対が用意され、ケース体１１ａのそれぞれの収容部内に挿入され支持される。これにより、刃受け金具１２に一体に形成された一方の刃受け部１４ａと、電線接続部１３に一体に形成された他方の刃受け部１４ｂが所定の隙間ｓを有して対向して配置され、「ハ」の字状をなす一対の導電体受け金具１４が構成される。一対の導電体受け金具１４は、一対の刃受け金具１２の配設方向と略直交する方向に配設される。この状態で、蓋体１１ｂをケース体１１ａの開口部に被せて閉塞することによりコンセント１０が構成される。
【００２７】
なお、ケース体１１ａの裏面には、電線Ｗを電線接続部１３のねじ無し端子に挿入するための一対の電線挿入孔１１ａ４およびねじ無し端子と電線の接続を解除し、電線を引き外すためのリリースボタン（図示せず）が設けられている。また、上述した一対の刃受け金具１２、一対の電線接続部１３、一対の導電体受け金具１４、一対の挿入孔１１ｂ１、一対の挿入孔１１ｂ２、一対の電線挿入孔１１ａ４等は、一対に限らずアース付など３つで構成されてもよい。
【００２８】
上記構成のコンセントによれば、一対の導電体受け金具１４の隙間ｓに導電体を差し込むことによって、一方の刃受け部１４ａと他方の刃受け部１４ｂが導電体によって電気的に閉止され、電線接続部１３と刃受け金具１２が電気的に接続される。また、導電体を差し込まない状態では、一方の刃受け部１４ａと他方の刃受け部１４ｂが隙間ｓによって開放され、電線接続部１３と刃受け金具１２が電気的に接続されない。これによって、導電体を差し込まない通常の状態では、プラグの刃受け金具１２には電源が印加されないため感電する虞がない。また、一対の挿入孔１１ｂ２は、一対の挿入孔１１ｂ１の配設方向と略直交する方向に配設されているので、刃受け金具１２に挿入されるプラグが、一対の挿入孔１１ｂ２に誤って差し込まれることがなく、一対の導電体受け金具１４に接続されることがなく安全である。
【００２９】
本実施例では、上記構成のコンセント１０にカバー部材を組み合わせ、カバー部材の開閉によって刃受け金具１２と電線接続部１３の接続が開閉されるようにしたカバー付コンセント２０を構成した。
【００３０】
すなわち、カバー付コンセント２０は、図１に示すように、上記に構成されたコンセント１０と、コンセント１０の本体１１に対して開閉可能に設けられるカバー部材２１で構成する。カバー部材２１は、プレート部２１ａとカバー部２１ｂからなり、プレート部２１ａは、合成樹脂により長方形の薄い皿状をなした形状に一体に形成され、その略中央部にコンセント１０におけるプラグの栓刃を挿入するための一対の挿入孔１１ｂ１を臨ませる窓孔２１ａ１を形成する（図５）。
【００３１】
さらに、この窓孔２１ａ１の下方に連続してコンセント１０における導電体２１ｂの栓刃を挿入するための一対の挿入孔１１ｂ２を臨ませる窓孔２１ａ２を形成する。図５中２１ａ３は、後述するサポート３２にカバー部材２１を固定するために、プレート部２１ａの上下部分にそれぞれ設けられたねじである。
【００３２】
カバー部２１ｂは、合成樹脂で内部にドーム状の空間部が形成されるような形状に一体に形成され、その内面側に銅板製の栓刃からなる一対の導電体２１ｂ１を樹脂成形時に一体に埋め込んで支持する。この一対の導電体２１ｂ１は、カバー部２１ｂの樹脂により、互いに離間されて埋め込まれ電気的に絶縁された状態で支持される。なお、カバー部２１ｂのドーム状の空間部は、コンセント１０に差し込んだプラグを、その空間部内に余裕を持って収容できる大きさに形成する。図５中２１ｂ２は、カバー部２１ｂの側面に形成したプラグ用のコードＣを挿通させるためのコード孔であり、プラグＰをコンセント１０に接続しカバー部２１ｂを閉じた状態でコードＣを外部に導出させるために使用される。
【００３３】
上記に構成されたカバー部２１ｂの一辺がプレート部２１ａの一辺に軸支され、その軸を中心にしてカバー部２１ｂがプレート部２１ａに対して回動できるように合成樹脂で一体に形成され、カバー部２１ｂを回動して閉じることにより（図１）、カバー部２１ｂの内面側に支持された一対の栓刃からなる導電体１２ｂ１が、コンセント１０の下方のそれぞれの挿入孔１１ｂ２に合致して差し込まれ、導電体受け金具１４の隙間ｓに差し込まれる。なお、図示しないが、カバー部２１ｂをプレート部２１ａに対して閉じた際にロックするためのキーロック部が設けられている。
【００３４】
次に、上記に構成されたコンセント１０およびカバー部材２１により、商用電源を用いて電動式の自転車に充電するカバー付コンセント２０を設置するための施工手順につき説明する。
【００３５】
図５に示すように、一般家庭の建物における外壁Ｘには、設置孔３０が形成され、設置孔の内方には合成樹脂からなる配線ボックス３１が設置され電線Ｗが引き出されている。
【００３６】
まず、配線ボックス３１に引き出された電線Ｗをコンセント１０の電線挿入孔１１ａ４から電線接続部１３のねじ無し端子に差し込んで接続し、このコンセント１０をサポート３２の取付孔に対し、上下の中間部分に位置させて係止手段により保持させる。
【００３７】
次に、コンセント１０と一体化されたサポート３２の上下の端部を設置孔３０の上下に位置する外壁Ｘに当接しながらサポート３２の長孔３２ａと配線ボックス３１のねじ孔３１ａを合致させ長ねじ３３をねじ込んでサポート３２を外壁Ｘに支持する。
【００３８】
次に、カバー部材２１をサポート３２に取り付ける。すなわちプレート部２１ａの上方の窓孔２１ａ１を、コンセント１０の挿入孔１１ｂ１が設けられた部分に合致させ、下方の窓孔２１ａ２を挿入孔１１ｂ２が設けられた部分に合致させる。この状態でプレート部２１ａに上下に設けられたねじ２１ａ３を、サポート３２のねじ孔３２ｂに合致させねじ込んで固定する。これにより、コンセント１０およびカバー部材２１が外壁Ｘに設置されカバー付コンセント２０が設置される。必要に応じて防水用のパッキングをプレート部２１ａと外壁Ｘとの間に介在させて設置する。
【００３９】
また、コンセント１０を交換する場合には、上記手順と逆の手順で取り外せばよい。すなわち、まず、プレート部２１ａのねじ２１ａ３をサポート３２から外し、露出した長ねじ３３を外してサポート３２を配線ボックス３１から取り外す。外されたサポート３２からコンセント１０を取り外し、新しいコンセントと交換して上述した施工手順に従って再度設置すればよい。
【００４０】
次に、上記に設置されたカバー付コンセントを使用して、電動式の自転車に充電する手順につき説明する。
【００４１】
まず、通常はカバー部材２１が閉じられ塵埃や雨水等からコンセントを保護している。同時にカバー部２１ｂがプレート部２１ａにキーロックされ盗電を防いでいる。この状態で、キーロックを解除し、カバー部２１ｂを下方から上方に開放し、充電用のプラグＰをコンセント１０の挿入孔１１ｂ１に差し込む。
【００４２】
この際、図２に示すように、カバー部２１ｂを開放することによって、導電体２１ｂ１が一対の導電体受け金具１４から引き抜かれ、一方の刃受け部１４ａと他方の刃受け部１４ｂが隙間ｓによって開放され、電線接続部１３と刃受け金具１２が電気的に接続されない。これによって、プラグの刃受け金具１２には電源が印加されないため、雨天時等にプラグを差し込むためにコンセントの差込口近辺を濡れた手で触っても感電する虞はない。
【００４３】
次に、図１に示すように、図プラグＰを差し込んだ状態で、プラグを覆うようにしてカバー部２１ｂを閉じる。この際、プラグのコードＣはカバー部材２１ｂのコード孔２１ｂ２から外部に導出させてカバー部２１ｂを閉じる。
【００４４】
カバー部２１ｂを閉じることによって、カバー部２１ｂの内面側に支持された一対の栓刃からなる導電体１２ｂ１が、コンセント１０の下方のそれぞれの挿入孔１１ｂ２に合致して差し込まれ、導電体受け金具１４の隙間ｓに差し込まれる。これによって、一対の導電体受け金具１４の一方の刃受け部１４ａと他方の刃受け部１４ｂが導電体２１ｂ１によって電気的に接続される。これによって、電線接続部１３と刃受け金具１２が接続され、プラグの刃受け金具１２に商用電源が印加されてプラグＰを介し電動式の自転車に充電される。この際、プラグＰはカバー部２１ｂによって覆われているので、雨水がかかったり、不用意に子供などが触ることができず安全に充電が行われる。
【００４５】
次に、充電が終了したら、カバー部２１ｂを開放してプラグＰをコンセント１０から外し、カバー部２１ｂを閉じてキーロックを行う。これによって、コンセント１０は雨水や塵埃から保護され、盗電も防ぐことができる。この際、キーロックを忘れ、子供などが不用意にカバー部２１ｂを開放したとしても、図２のように、導電体２１ｂ１が一対の導電体受け金具１４から引き抜かれ、プラグの刃受け金具１２には電源が印加されないため感電する虞はない。
【００４６】
以上、本実施例によれば、カバー部２１ｂの開閉による導電体２１ｂ１の抜き差しにより刃受け金具１２と電線接続部１３の接続が開閉される一対の導電体受け金具１４を設けたので、カバー部２１ｂが開放されることによって、プラグの刃受け金具１２には電源が印加されないため、プラグＰをコンセントに差し込む際などに、感電する虞のない安全なコンセントおよびカバー付コンセントを提供することができる。
【００４７】
また、プラグＰを差し込んだ状態で、カバー部２１ｂを閉じることにより、初めて、導電体１２ｂ１により刃受け金具１２に商用電源が印加されるので、感電する虞れがないことは勿論、プラグＰはカバー部２１ｂによって覆われ、雨水がかかったり、不用意に子供などが触ることができず安全に充電を行うことができる。
【００４８】
また、使用しないときは、コンセントはカバー部２１ｂによって覆われているので、感電する虞れがないことは勿論、雨水や塵埃から保護され、盗電も防ぐことができる。また、子供などが不用意にカバー部２１ｂを開放したとしても、導電体２１ｂ１が一対の導電体受け金具１４から引き抜かれ、プラグの刃受け金具１２には電源が印加されないため感電する虞はない。
【００４９】
また、導電体受け金具１４は、一方の受け部１４ａが刃受け金具１２と一体に形成され、他方の刃受け部１４ｂがねじ無し端子からなる電線接続部１３と一体に形成されているので、簡易な構成により確実に感電を防止することが可能になると共に、組立作業を簡素化できコストダウンが可能になると共に、導電体受け金具１４自体を小型に構成することができ、安全でコンパクトなコンセントおよびカバー付コンセントを提供することができる。
【００５０】
以上、本実施例において、コンセント１０の導電体受け金具１４をカバー部材２１の開閉による導電体２１ｂ１の抜き差しにより刃受け金具１２と電線接続部１３の接続が開閉されるように構成したが、図６に示すように、抜き差し専用の導電体４０によって接続が開閉されように構成してもよい。図中４１は化粧プレートである。
【００５１】
すなわち、抜き差し専用の導電体４０は、合成樹脂からなる板状の蓋に、一対の栓刃からなる導電体４０ａを一体に埋め込んで支持したコンセント用の安全蓋として構成する。これにより、プラグをコンセントに差し込んだときのみ、この安全蓋の一対の導電体４０ａをコンセント１０の導電体受け金具１４に対向する挿入孔１１ｂ２に差し込むようにする。
【００５２】
これにより、コンセント１０から所定の負荷に通電させることができると共に、コンセントを使用しないときには、導電体４０ａが抜かれた状態となり、刃受け金具１２と電線接続部１３の接続が開放されて刃受け金具１２には電源が印加されていない。このため、子供などが不用意にコンセントに触れても感電する虞がない。また、使用するときにプラグＰをコンセントに差し込む際などにも、感電する虞のない安全なコンセンを提供することができる。
【００５３】
なお、変形例を示す図６には、図１〜図５と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００５４】
１０  コンセント
１１  本体
１２  刃受け金具
１３  電線接続部
１４  導電体受け金具
２０  カバー付コンセント
２１  カバー部材
２１ｂ１  導電体
Ｐ    プラグ
Ｗ    電線
【図１】
2011070912.tif 000003
【図２】
2011070912.tif 000004
【図３】
2011070912.tif 000005
【図４】
2011070912.tif 000006
【図５】
2011070912.tif 000007
【図６】
2011070912.tif 000008